(57)【要約】      （修正有）【課題】緊急事態が発生した際に、その場所の周辺に速やかに警報を発して知らせることのできる簡易的な警報装置を提供する。【解決手段】外部電源接続手段と、発光表示手段と、音響手段と少なくとも１個のスイッチとからなり、該スイッチにより前記発光表示手段及び音響手段を自在にオン及びオフできるよう構成する。【選択図】図１
0003125173.tif 000002
【実用新案登録請求の範囲】
【請求項１】
外部電源接続手段と、発光表示手段と、音響手段と少なくとも１個のスイッチとからなり、該スイッチにより前記発光表示手段及び音響手段を自在にオン及びオフできるよう構成したことを特徴とする警報装置。
【請求項２】
外部電源接続手段と、発光表示手段と、音響手段と少なくとも１個のスイッチとからなる警報装置ボックスを複数連結し、前記スイッチのいずれからも前記複数の警報ボックスを作動させることができるよう構成したことを特徴とする警報装置。
【請求項３】
外部電源接続手段と、発光表示手段と、音響手段と少なくとも１個のスイッチと、赤外線センサーとからなる警報装置であって、該スイッチは前記発光表示手段及び前記音響手段を自在にオン及びオフできるように構成し、該赤外線センサーは一定距離範囲内の動く物体を感知して発光表示手段のみを一定時間作動させるよう構成したことを特徴とする警報装置。
【考案の詳細な説明】
【技術分野】
【０００１】  本考案は、簡易的に緊急警報を発することのできる警報装置に関する。
【背景技術】
【０００２】  近年では路上における変質者による犯罪が増えてきており、このような犯罪や事故に巻き込まれた際に周囲に緊急警報を発する必要性は高まっている。例えば、携帯電話等を用いて連絡する方法もあるが、緊急の場合に携帯電話を操作することは容易ではない。また、電話の場合は相手が電話に出ないと状況の説明ができないという問題がある。【０００３】  周囲に住宅や店舗がある場合は、緊急の際に駆け込んで助けを求めることもできるが、夜間などの場合、住宅や店舗が閉まっていて声を掛けられないこともある。【０００４】  そのようなことを考えると、例えば住宅や店舗の軒先に緊急用の警報装置を備え付けておくことも１つの選択肢である。【０００５】  例えば、特許文献１（実開平２−５０７９８号公報）には、押しボタンと高周波電圧の発振を開始する発振部と増幅部と高周波電圧を配電線に送出する出力変圧器とを有する緊急信号発信器と、回路部と可視・可聴警報部を具備する緊急警報装置本体とからなる緊急警報装置が開示されている。この考案は押しボタンを押すことにより、遠隔地にある警報装置本体で警報を発することを目的としており、押しボタンを押す場所での警報は考慮されていない。また、高周波回路などを使用していて機構が複雑なため、製造コストが高価となってしまう。【０００６】
【特許文献１】実開平２−５０７９８号公報
【考案の開示】
【考案が解決しようとする課題】
【０００７】  本考案は上述の問題点に鑑みてなされたものであり、緊急事態が発生した際に、その場所の周辺に速やかに警報を発して知らせることのできる簡易的な警報装置を提供することを課題とする。
【課題を解決するための手段】
【０００８】  上記課題を解決するため本考案による警報装置は、外部電源接続手段と、発光表示手段と、音響手段と少なくとも１個のスイッチとからなり、該スイッチにより前記発光表示手段及び音響手段を自在にオン及びオフできるよう構成したことを特徴とする。【０００９】  また、外部電源接続手段と、発光表示手段と、音響手段と少なくとも１個のスイッチとからなる警報装置ボックスを複数連結し、前記スイッチのいずれからも前記複数の警報ボックスを作動させることができるよう構成することもできる。【００１０】  さらに、外部電源接続手段と、発光表示手段と、音響手段と少なくとも１個のスイッチと、赤外線センサーとからなる警報装置とし、該スイッチは前記発光表示手段及び前記音響手段を自在にオン及びオフできるように構成し、該赤外線センサーは一定距離範囲内の動く物体を感知して発光表示手段のみを一定時間作動させるよう構成すると好適である。
【考案の効果】
【００１１】  本考案による警報装置では、押しボタンスイッチを押すことによりその場で赤色ランプの発光とブザーの警報音により緊急事態の発生を周囲に知らせることができる。いたずらや誤ってスイッチを押してしまった場合は、そのスイッチを再度押すか別に設けたスイッチを押すことによっても警報を解除することができる。さらに、赤外線センサーを追加すれば、警報装置に近づいただけでランプが点灯するため、いたずらの防止に効果的である。また、本考案による警報装置は構造が単純で、市販の部品を利用できるため安価に製造することができる。
【考案を実施するための最良の形態】
【実施例】
【００１２】  本考案による警報装置の一実施例を図１に示す。この警報装置では、警報装置ボックス６の正面に赤色ランプ１、ブザー２及び押しボタンスイッチ３が設けてあり、側面には延長スイッチポートを形成してある。また、ボックス６の上部には赤外線センサーを設けてある。本警報装置は外部電源により駆動され、例えば、図１には図示してないが、ボックス６よりコードを引き出して交流１００ボルトのコンセントに接続することができる。ただし、電源としては交流に限定されるものではなく、乾電池やバッテリーなどの直流電源を使用することも設計の変更で対応できる。ボックス内には配線基板と配線が収納されており、屋外に設置することを想定すると防水処理を施すことが望ましい。【００１３】  本警報装置の動作としては、まず住宅や店舗の軒先に本装置を設置して電源に接続しておくことが必要となる。道路を歩いている人に緊急事態が生じた場合、その人はこの装置に近づき押しボタンスイッチ３を押す。これによって、赤色ランプ１が点灯或いは点滅し、またブザー２が鳴動することによって本装置が動作するので、周囲に緊急事態の発生を知らせることができる。赤色ランプやブザーは発光及び音響手段として使用しているため、他の種類に置き換えることも可能である。本装置の動作、すなわちランプの点灯とブザーの鳴動を停止するためには、押しボタンスイッチを再度押せばよい。本装置の側面には延長スイッチポート５が設けてあるので、必要に応じて複数の延長スイッチ４を増設することができる。尚、スイッチを増設した場合、本装置の作動及び停止はいずれのスイッチからも行うことができる。この機能は、ボックス６内にＣ−ＭＯＳ  ＩＣとリレーを用いたラッチ回路を組み込むことにより実現できる。延長スイッチポートは、使用しない場合にはゴム製等のめくら蓋で塞いでおくことが望ましい。また、本装置には赤外線センサー７も付加されており、いたずら防止のために一定範囲内に近づくと赤色ランプだけが点灯するように構成されている。この赤外線センサーとしては市販の焦電型センサーが利用できる。警報装置ボックスの材質としては、防水性及び耐久性を考慮すると金属が好ましいが、耐候性プラスチックも利用できる。【００１４】  上述の実施例では、赤色ランプ、ブザー、スイッチ及び赤外線センサー等の機能部と配線基板やＩＣ等の制御部を１つのボックス内に配置した警報装置を示したが、場合によっては複数の機能部を駆動するために制御部だけを別に配置することも可能である。
【産業上の利用可能性】
【００１５】  本考案による警報装置では、簡易的な警報手段を安価に提供できるため、児童の通学路をはじめとして種々の場所での安全確保に寄与できるものである。
【図面の簡単な説明】
【００１６】
【図１】本考案による警報装置の一実施例を示す斜視図である。
【符号の説明】
【００１７】１    赤色ランプ
２    ブザー
３    押しボタンスイッチ
４    延長押しボタンスイッチ
５    延長スイッチポート
６    警報装置ボックス
７    赤外線センサー
【図１】
0003125173.tif 000003